(57)【要約】      （修正有）【課題】意匠性を向上させ訴求効果を増大する装飾具付き用具を提供する。【解決手段】用具は、光透過性立体物である装飾具１５を備える。光透過性立体物は、反射部材１５５を有していてもよい。インサート成形や二重成形により固定されていてもよい。アンカー効果を有するベース１５３を有していてもよい。一部がファセットカットされていてもよい。【選択図】図２
0003204074.tif 000002
【実用新案登録請求の範囲】
【請求項１】
光透過性立体物を備えること
を特徴とする装飾具付き用具。
【請求項２】
請求項１に記載の装飾具付き用具であって、
前記光透過性立体物は、反射部材を有していること
を特徴とする装飾具付き用具。
【請求項３】
請求項１または２に記載の装飾具付き用具であって、
前記光透過性立体物が、インサート成形により固定されていること
を特徴とする装飾具付き用具。
【請求項４】
請求項３に記載の装飾具付き用具であって、
前記光透過性立体物は、二重成形により固定されていること
を特徴とする装飾具付き用具。
【請求項５】
請求項１から４の何れか一項に記載の装飾具付き用具であって、
前記光透過性立体物は、アンカー効果を有するベースを有していること
を特徴とする装飾具付き用具。
【請求項６】
請求項１から５の何れか一項に記載の装飾具付き用具であって、
前記光透過性立体物は、一部がファセットカットされていること
を特徴とする装飾具付き用具。
【請求項７】
請求項１から６の何れか一項に記載の装飾具付き用具であって、
前記光透過性立体物は、更なる装飾品を取り付けるための取付部を有していること
を特徴とする装飾具付き用具。
【考案の詳細な説明】
【技術分野】
【０００１】
本考案は、装飾具付きの用具に関する。
【背景技術】
【０００２】
近年、調理器具類、食器具類、工業道具類、文房具類等の用具類においてさまざまな用途や機能を有するものが開発されてきた。またこれに伴い商品種の絶対数も増加し、現在では、より高い訴求効果を有する優れたデザインが要求されている。
【０００３】
このような要求に対し近年では、光の透過や反射等を利用し、訴求効果や意匠性を高めようとする用具類が開発されている。特許文献１には、装飾具を接着テープで貼り付けることで、容易に配置することが可能な技術が開示されている。
【先行技術文献】
【特許文献】
【０００４】
【特許文献１】特開２００６−１２４８９１号公報
【考案の概要】
【考案が解決しようとする課題】
【０００５】
しかしながらこのような装飾具では、貼り付け面が剥がれやすく、頻繁に使用する道具や、洗浄が必要な器具には使用することが難しかった。
【０００６】
そこで本考案は、意匠性を向上させ訴求効果を増大する装飾具付き用具に関する技術を提供することを目的とする。
【課題を解決するための手段】
【０００７】
上記課題を解決するために、本考案の装飾具付き用具は、光透過性立体物を備えること特徴とする。
前記光透過性立体物は、反射部材を有していてもよい。前記光透過性立体物が、インサート成形により固定されていてもよい。前記光透過性立体物は、二重成形により固定されていてもよい。前記光透過性立体物は、アンカー効果を有するベースを有していてもよい。前記光透過性立体物は、一部がファセットカットされていてもよい。前記光透過性立体物は、更なる装飾品を取り付けるための取付部を有してもよい。
【０００８】
前記光透過性立体物は、更なる装飾品を取り付けるための取付部を有してもよい。
【考案の効果】
【０００９】
本考案によれば、意匠性を向上させ訴求効果を増大する装飾具付き用具に関する技術を提供できる。
【図面の簡単な説明】
【００１０】
【図１】本考案の第１の実施形態に係る調理器具１の（Ａ）上面図（Ｂ）側面図である。
【図２】装飾具１５の（Ａ）側面図（Ｂ）説明図である。
【図３】装飾具１４の（Ａ）側面図（Ｂ）説明図である。
【図４】本考案の第１の変形例に係る（Ａ）食器具２ａの側面図（Ｂ）食器具２ｂの側面図である。
【図５】本考案の第２の変形例に係る（Ａ）工具３の側面図、（Ｂ）工具４の側面図である。
【図６】本考案の第３の変形例に係る履物５の側面図である。
【図７】（Ａ）（Ｂ）履物５の断面図である。
【図８】（Ａ）（Ｂ）装飾品２００を差込により取り付けた例の説明図である。
【図９】（Ａ）（Ｂ）装飾品２００を接着により取り付けた例の説明図である。
【図１０】本考案の第４の変形例に係る小物入れ６の斜視図である。
【図１１】本考案の第５の変形例に係るカバー７の正面図である。
【考案を実施するための形態】
【００１１】
本考案の実施の形態について、以下、図に基づいて説明する。
【００１２】
図１（Ａ）は、本考案の第１の実施形態に係る調理器具１の上面図、図１（Ｂ）は、側面図である。
【００１３】
調理器具１は、料理を掬い取ったり、水切りを行ったりするための作用部１１と、握り手である把持部１２と、作用部１１と把持部１２とを繋ぐネック１３と、を有している。なお、把持部１２とネック１３とには、装飾具１４及び装飾具１５が取り付けられている。
【００１４】
装飾具１４及び１５は、光透過性の立体物である。その立体形状はどのようなものであってもよいが、例えば、球体、半球体、角柱体、角錐体、円柱体、円錐体、トーラス体、中空角筒、中空円筒等が挙げられる。また、視認性向上のため、これらの立体形状の一部が加工されていてもよい。加工には例えば、角度の違う多数の切子面（ファセット）や、鏡面、着色、反射部材の混入等が挙げられる。
【００１５】
図２（Ａ）に、装飾具１５の側面図を示す。図２（Ａ）に示すように、本実施形態に係る調理器具１に取り付けられた装飾具１５は、略円柱形状の本体１５１の上面がファセットカット１５２に加工された光透過性立体物である。また、本体１５１の下面には、アンカー構造として、周囲に延出するフランジ部１５４を備える円柱形状のベース１５３が設けられている。また、フランジ部１５４の下面には、光を鏡面反射するように反射部材１５５が形成されている。このような加工により、光が屈折及び反射してより視認性が高まる。なお、反射部材１５５は必ずしもフランジ部１５４の下面である必要は無く、どの面に設けられていても良い。
【００１６】
なお、ここではフランジ部１５４を有するベース１５３は、その断面図において、略直角に構成されたコの字型の凹状の溝となるが、アンカー効果を生ずるものであれば、例えば三角状や半球状の凹みでも良い。
【００１７】
このような装飾具１５は、基材である調理器具１のネック１３に、ベース１５３をインサート成形等により埋め込むことで、フランジ部１５４がアンカーとなって強固に固定される。図２（Ｂ）に、装飾具１５の成形に関する説明図を示す。具体的に、ネック１３の成形型にインサート品として装飾具１５をセットし、そこへ基材溶融樹脂を注入、固化させることで、ネック１３に装飾具１５を一体化させる。なおここでは、本体１５１の側面の少なくとも一部と、ベース１５３、フランジ部１５４、反射部材１５５が、基材の内側にインサートされる。これにより、表からは本体１５１、中でも加工が施されたファセットカット１５２部分が主に視認され、美的に優れた仕上がりとなる。
【００１８】
なお、インサート成形の際に、装飾具１５はネック部の溶融温度より高い材料で構成されるのが基本である。しかしながら、溶融温度は必ずしも高い必要はなく、ベース１５３付近をインサート成形時にネック１３と融合させて成形してもよい。その際、成形条件などによる形状の変化を生かしても良い。
【００１９】
図３（Ａ）に、装飾具１４の側面図を示す。図３（Ａ）に示すように、本実施形態に係る調理器具１に取り付けられた装飾具１４は、ハート形柱状の本体１４１の上面がファセットカット１４２に加工された光透過性立体物である。また、本体１４１の下面には、アンカー構造として、円柱形状のベース１４３を有している。また、ベース１４３の下面には、光を鏡面反射するための反射部材１４５が設けられている。
【００２０】
このような装飾具１４は、基材である調理器具１の把持部１２に、ベース１４３をインサート成形等により埋め込むことで、ベース１４３自体のアンカー効果により、強固に固定される。図３（Ｂ）に、装飾具１４の成形に関する説明図を示す。具体的に、まず、内部材１２１の成形型にインサート品として装飾具１５をセットし、そこへ基材溶融樹脂を注入、固化させる。これにより、装飾具１４を内部材１２１と一体化させる。その際、装飾具１４のベース１４３のみ、内部材１２１にインサートされるように調整する。次に、外部材１２２で、内部材１２１を覆うように二重成形する。具体的に、外部材１２２は、装飾具１４の固定された内部材１２１をインサート品として溶融樹脂で均一に被覆成形することで形成される。なおその際、装飾具１４の本体１４１の側面の少なくとも一部が、外部材１２２にインサートされる。これにより、表からは本体１４１、中でも加工が施されたファセットカット１４２部分が主に視認され、美的に優れた仕上がりとなる。
【００２１】
基材の材料としては、一般的に使用されるものであればどのような樹脂を利用してもよい。なお、内部材１２１は、外部材１２２よりも剛性の樹脂よりなる部材であり、例えばポリプロピレン、ＡＢＳ、ポリアセタール、ポリアミド、ポリカーボネイト等の、高い機械特性を有する樹脂が適している。一方、内部材１２１よりも軟性の樹脂よりなる外部材１２２には例えば、シリコンゴム、フッ素ゴム等のエラストマーを使用できる。
【００２２】
なお、反射部材１５５及び反射部材１４５はアルミ蒸着や、アルミ箔の貼り付け等によって形成することができる。
【００２３】
また、装飾具は必ずしも内部材１２１及び外部材１２２に埋め込まれるものでなくともよく、例えば外部材１２２にのみインサートされていてもよい。また、上記記載の様に、ベース１４３と内部材１２１を融合しても良い。
【００２４】
さらに、取り付けられる装飾具の数は１個または２個以上の複数個であってもよく、その配置も上記に限らず、所望の位置に所望の数、取り付けることができる。
【００２５】
また、装飾具を取り付ける用具は上記のような調理器具に限らず、食器具類、工業道具類、文房具類、電化製品類、家具類、化粧品類等、どのようなものに対しても応用が可能である。以下、用具類のさらなる変形例について示す。
【００２６】
図４（Ａ）は、本考案の第１の変形例に係る食器具２ａの側面図、図４（Ｂ）は、食器具２ｂの側面図である。図示するように、食器具２ａ及び食器具２ｂは、一般的な箸であり、その側面又は上面に、装飾具１５が埋め込まれ、固定されている。なお、両食器具は、例えば全て樹脂製であってもよいし、木製の内部材に樹脂製の外部材を設けたものであってもよい。
【００２７】
図５（Ａ）は、本考案の第２の変形例に係る工具３の側面図、図５（Ｂ）は、工具４の側面図である。図示するように、工具３は、打撃作業を行う際に打ち付けるヘッドである作用部３１と、把持部３２を有するハンマーである。工具３の把持部３２の側面には、装飾具１５が埋め込まれ、固定されている。工具４は、ねじ回しを行うためのプラス型端部を備える作用部４１と、把持部４２を有するドライバーである。工具４の把持部４２の側面に、装飾具１５が埋め込まれ、固定されている。なお、両工具の把持部についても、全て樹脂製であってもよいし、木製の内部材に樹脂製の外部材を設けたものであってもよい。
【００２８】
図６は、本考案の第３の変形例に係る履物５の側面図である。履物５は、足の甲を覆う甲部（アッパー）５１や、かかと５２、ヒール５３、側部（ストーム）５４の表面に、ベース１９３と本体１９１を有する装飾具１９が取り付けられている。
【００２９】
図７（Ａ）及び（Ｂ）に、このような履物５の断面図を示す。図７（Ａ）に示すように、履物５は、ここでは例えば、樹脂からなる芯材５６の外側に皮革５５を貼り合わせるようにして形成されたものである。装飾具１９は、芯材５６に設けられた凹みにベース１９３を嵌め込み、さらに本体１９１のみを貫通させるよう皮革５５を貼り合わせることで、表面に本体１９１が露出するよう固定できる。なお、図７（Ｂ）に示すように、装飾具１９は、更なる装飾品を取り付けるための取付部として、貫通孔１９６を有していてもよい。このような貫通孔１９６を利用して、別の装飾品２００（ここでは紐状のリボン等）を通し取り付けることができる。
【００３０】
なお、装飾具１９への装飾品２００の取り付けは上記のような方法に限られない。図８（Ａ）及び（Ｂ）に、他の方法で装飾品２００を取り付ける場合の説明図を示す。図８（Ａ）及び（Ｂ）に示すように、例えば、取付部として、装飾具１９側に凹状の差込レール１９７を、装飾部２００の裏側に図示しない凸状の差込レールを設け、これらをスライドして嵌め合わせることで、装飾具１９に装飾品２００を取り付けることができる。なお、ネジ穴１９８に装飾品２００の表側からネジ１９９を嵌めることで、より強固に固定することが可能である。
【００３１】
また、装飾品２００は上記のような方法に限らず、嵌め込み、接着等、どのように取り付けてもよい。図９（ａ）に、接着によって装飾具１９を固定する例の説明図を示す。図示するように、装飾具１９は、表部材５５ａとベース１９３とが、その接触面である接着部５７において接着、固定されている。また、図９（ｂ）のように、表部材５５ａと芯材５６との両方をベース１９３と、Ｌ字型の接着部５７により接着してもよい。なお、貫通孔１９６には紐状の装飾品２００が通して結ばれており（ここでは、ひばり結び）、例えばストラップや値札等を取り付けるのに便利である。
【００３２】
このように、装飾具に別の装飾品を取り付けることで、より一層、人目を惹く構造とすることができる。
【００３３】
図１０は、本考案の第４の変形例に係る小物入れ６の斜視図である。図示するように、小物入れ６には、装飾具１９が固定されている。小物入れ６は、例えば、名刺入れ、財布、キーケース、ブックカバー等、どのようなものであっても良い。
【００３４】
図１１は、本考案の第５の変形例に係るカバー７の正面図である。カバー７は、タブレットやスマートフォン等の電子機器を覆うカバーである。カバー７の表面には、指掛け部６１が設けられている。指掛け部６１は、なだらかに盛り上がった形状の凸部であり、ここへ利用者が指をかけることで、安定して保持できるようになっている。なお、指掛け部６１には、多角形の装飾具２０が、タイル状に並んで設けられている。このような装飾具２０は意匠性を向上させるだけでなく、例えばカメラによる撮影時等には、撮影対象から視認しやすく、容易に注目させることができる。
【００３５】
以上、本考案の一実施形態について説明した。本考案によれば、光透過性立体物である装飾具を取り付けることで、意匠性をより向上させ、訴求効果を増大させることができる。
【００３６】
なお、上記の実施形態は、本発明の要旨を例示することを意図し、本考案を限定するものではない。本考案の技術的思想の範囲内でさらなる様々な変形が可能である。また、上記各実施形態における各特徴をそれぞれ組み合わせて用いることもできる。
【００３７】
例えば上記ベースは、必ずしも円柱形状である必要はなく、どのような形状を有していても良い。例えば、凹凸レンズ形状やフレネルレンズ形状を有していても良い。
【００３８】
また、ベースは内部に反射片を含んでいてもよい。反射片とは例えば、ラメ糸や金属片、鉱石粉体、ビーズ、蛍光材、畜光材、導光材等からなり、これが光を乱反射させることで装飾具本体が視認され易くするものである。これにより、より一層艶やかに光の輝きや変化を与えることができる。
【００３９】
さらに上記装飾具は、必ずしも光透過性を有していなくともよく、例えば光を透過しない樹脂等で形成してもよい。その場合には、表面に上記反射片を混入させることで、人目を惹く構造とすることが可能である。
【００４０】
また装飾具を取り付ける素材も、皮革、樹脂、紙、木材、金属、帆布等、制限されるものではない。
【符号の説明】
【００４１】
１：調理器具、１１：作用部、１２：把持部、１２１：内部材、１２２：外部材、１３：ネック、１４：装飾具、１４１：本体、１４２：ファセットカット、１４３：ベース、１４５：反射部材、１５：装飾具、１５１：本体、１５２：ファセットカット、１５３：ベース、１５４：フランジ部、１５５：反射部材、１９：装飾具、１９１：本体、１９３：ベース、１９６：貫通孔、１９７：差込レール、１９８：ネジ穴、１９９：ネジ、２ａ：食器具、２ｂ：食器具、２０：装飾具、３：工具、３１：作用部、３２：把持部、４：工具、４１：作用部、４２：把持部、５：履物、甲部５１、５２：かかと、５３：ヒール、５４：側部、５５：皮革、５５ａ：表部材、５６：芯材、小物入れ：６、カバー：７、２００：装飾品。
【図１】
0003204074.tif 000003
【図２】
0003204074.tif 000004
【図３】
0003204074.tif 000005
【図４】
0003204074.tif 000006
【図５】
0003204074.tif 000007
【図６】
0003204074.tif 000008
【図７】
0003204074.tif 000009
【図８】
0003204074.tif 000010
【図９】
0003204074.tif 000011
【図１０】
0003204074.tif 000012
【図１１】
0003204074.tif 000013